(57)【要約】【課題】コンパクトで持ち運びが容易なボトル支持台を提供する。【解決手段】段ボールや板紙などの板状部材１０を折り曲げることで簡単に組み上げることができるため、例えばキャンプなどのイベントで使用する場合、展開して折り畳んだコンパクトな状態で容易に持ち運ぶことができる。また、段ボール等の軽い材料で板状部材１０を形成できるため、従来の金属製のものに比べて大幅に軽くなり、より一層持ち運びが容易になる。更に、紙製の板状部材１０を使用することで廃棄処理が簡単になるとともに、金属製のものに比べて材料コストを大幅に下げることができる。【選択図】図１
2014019449.tif 000002
【特許請求の範囲】
【請求項１】
板状部材を折り曲げて形成されるボトル支持台であって、
前記板状部材は、
互いに平行な第１縁部及び第２縁部と、
前記第１縁部に凸設された第１差し込み片と、
前記第２縁部に凸設された第２差し込み片と、
前記第１縁部及び前記第２縁部と平行な４本の折り目線と、
前記４本の折り目線のうち、内側の２本の折り目線によって挟まれた部分（以下、底部と記す。）に形成された第１差し込み孔及び第２差し込み孔と、
前記４本の折り目線のうち、前記第１縁部に最も近い折り目線（以下、第１折り目線と記す。）の上に形成された第１切り欠き孔と、
前記４本の折り目線のうち、前記第２縁部に最も近い折り目線（以下、第２折り目線と記す。）の上に形成された第２切り欠き孔と、
を有し、
前記４本の折り目線において前記板状部材が同一方向に折り曲げられ、
前記第１差し込み片が前記第１差し込み孔に差し込まれ、
前記第２差し込み片が前記第２差し込み孔に差し込まれ、
前記第１折り目線が稜線をなす山形構造の部分（以下、第１山形構造部と記す。）と、前記第２折り目線が稜線をなす山形構造の部分（以下、第２山形構造部と記す。）とが形成されており、
前記第１山形構造部における前記第１切り欠き孔の縁の上、並びに、前記第２山形構造部における前記第２切り欠き孔の縁の上にボトルが載置される、
ボトル支持台。
【請求項２】
前記第２差し込み孔は、前記第１差し込み孔に比べて前記第１折り目線の近くに形成されており、
前記板状部材は、前記第１縁部と前記第１折り目線との間の部分（以下、第１斜面部と記す。）に形成された第３切り欠き孔を有し、
前記第２縁部と前記第２折り目線との間の部分（以下、第２斜面部と記す。）は、前記第１斜面部に形成された前記第３切り欠き孔に挿通される、
請求項１に記載のボトル支持台。
【請求項３】
前記第３切り欠き孔は、前記第１縁部と平行な縁を有しており、
前記第２斜面部を前記第３切り欠き孔へ挿通するとともに、前記第２差し込み片を前記第２差し込み孔に差し込んだ状態において、前記第３切り欠き孔の前記縁が前記第２斜面部と当接する、
請求項２に記載のボトル支持台。
【請求項４】
前記第２斜面部は、前記第２斜面部を前記第３切り欠き孔に挿通した状態において前記第３切り欠き孔の縁が差し込まれる、前記第２縁部と平行に切り込まれた溝を有し、
前記第３切り欠き孔は、前記第１縁部と平行な方向における幅が、前記縁に近づくに連れて狭くなっている部分を有する、
請求項３に記載のボトル支持台。
【請求項５】
前記第１切り欠き孔と前記第３切り欠き孔とが共通の切り欠き孔によって形成されている、
請求項２乃至４の何れか一項に記載のボトル支持台。
【請求項６】
前記底部は、
前記第２差し込み片を前記第２差し込み孔に差し込んだ状態において前記第２縁部と近接する位置に、前記第２縁部と平行に延びて形成された第５折り目線と、
前記第５折り目線の一端から、前記第２折り目線に近づくルートを通って前記第５折り目線の他端に至る切り込み線と
を有し、
前記切り込み線と前記第５折り目線とに囲まれた前記底部の一部を前記第５折り目線において折り曲げることにより押さえ片が形成され、
前記第２差し込み片を前記第２差し込み孔に差し込んだ状態において、前記底部からみて前記押さえ片が前記第２斜面部より高い位置にある、
請求項１乃至５の何れか一項に記載のボトル支持台。
【請求項７】
前記第１山形構造部における前記第１切り欠き孔の前記縁は、前記第２山形構造部における前記第２切り欠き孔の前記縁に比べて、前記底部からみた位置が高い、
請求項１乃至６の何れか一項に記載のボトル支持台。
【発明の詳細な説明】
【技術分野】
【０００１】
本発明は、飲料水等を入れたボトルを支持するボトル支持台に関する。
【背景技術】
【０００２】
ボトルを支持するための台として、例えばワインを横に寝かせた状態で載置する台などが従来より知られている（下記特許文献１を参照）。
【先行技術文献】
【特許文献】
【０００３】
【特許文献１】実用登録第３０１２７９９号明細書
【発明の概要】
【発明が解決しようとする課題】
【０００４】
近年では、ミネラルウォーター等の飲料水を比較的大型のボトル（ガロンボトル等）に充填して販売し、空となったボトルを回収して再利用するようにした飲料水の販売システムが広く普及している。大型ボトルの場合、少量の飲料水を注ぎ出すことが難しいため、一般的には、ボトルの装着が可能な専用の給水機が使用される。他方、家庭用などの簡易的な用途では、ボトルの口にバルブを取り付けて、所定のボトル支持台（ボトルクレードルと称する場合がある）にボトルを置いて使用することがある。このボトル支持台は、ボトルの口が下向きになる姿勢でボトルを支持するため、ボトルを手で持って傾けなくても所望の量の飲料水をバルブから簡単に注ぎ出すことができる。
【０００５】
このような大型ボトル用のボトル支持台は、ある程度の強度が必要なため、一般に金属製のものが多い。しかしながら、金属製のボトル支持台は重くてかさばるため、部屋の同じ場所に置いたままで使用する場合は良いが、種々のイベント（キャンプ、野外バーベキューなど）に持ち運んで使用する用途には適していない。また、金属製であるため廃棄が面倒であり、コストも高いという問題がある。
【０００６】
本発明はかかる事情に鑑みてなされたものであり、その目的は、コンパクトで持ち運びが容易なボトル支持台を提供することにある。
【課題を解決するための手段】
【０００７】
本発明に係るボトル支持台は、板状部材を折り曲げて形成される。前記板状部材は、互いに平行な第１縁部及び第２縁部と、前記第１縁部に凸設された第１差し込み片と、前記第２縁部に凸設された第２差し込み片と、前記第１縁部及び前記第２縁部と平行な４本の折り目線と、前記４本の折り目線のうち、内側の２本の折り目線によって挟まれた部分（底部）に形成された第１差し込み孔及び第２差し込み孔と、前記４本の折り目線のうち、前記第１縁部に最も近い折り目線（第１折り目線）の上に形成された第１切り欠き孔と、前記４本の折り目線のうち、前記第２縁部に最も近い折り目線（第２折り目線）の上に形成された第２切り欠き孔とを有する。
前記４本の折り目線において前記板状部材が同一方向に折り曲げられ、前記第１差し込み片が前記第１差し込み孔に差し込まれ、前記第２差し込み片が前記第２差し込み孔に差し込まれる。上記ボトル支持台には、前記第１折り目線が稜線をなす山形構造の部分（第１山形構造部）と、前記第２折り目線が稜線をなす山形構造の部分（第２山形構造部）とが形成され、前記第１山形構造部における前記第１切り欠き孔の縁の上、並びに、前記第２山形構造部における前記第２切り欠き孔の縁の上にボトルが載置される。
【０００８】
好適に、前記第２差し込み孔は、前記第１差し込み孔に比べて前記第１折り目線の近くに形成されてよい。前記板状部材は、前記第１縁部と前記第１折り目線との間の部分（第１斜面部）に形成された第３切り欠き孔を有してよい。前記第２縁部と前記第２折り目線との間の部分（第２斜面部）は、前記第１斜面部に形成された前記第３切り欠き孔に挿通されてよい。
【０００９】
好適に、前記第３切り欠き孔は、前記第１縁部と平行な縁を有してよい。前記第２斜面部を前記第３切り欠き孔へ挿通するとともに、前記第２差し込み片を前記第２差し込み孔に差し込んだ状態において、前記第３切り欠き孔の前記縁が前記第２斜面部と当接してよい。
【００１０】
好適に、前記第２斜面部は、前記第２縁部と平行に切り込まれた溝を有してよい。前記溝には、前記第２斜面部を前記第３切り欠き孔に挿通した状態において、前記第３切り欠き孔の縁が差し込まれてよい。前記第３切り欠き孔は、前記第１縁部と平行な方向における幅が、前記縁に近づくに連れて狭くなっている部分を有してよい。
【００１１】
好適に、前記第１切り欠き孔と前記第３切り欠き孔とが共通の切り欠き孔によって形成されてよい。
【００１２】
好適に、前記底部は、前記第２差し込み片を前記第２差し込み孔に差し込んだ状態において前記第２縁部と近接する位置に、前記第２縁部と平行に延びて形成された第５折り目線と、前記第５折り目線の一端から、前記第２折り目線に近づくルートを通って前記第５折り目線の他端に至る切り込み線とを有してよい。前記切り込み線と前記第５折り目線とに囲まれた前記底部の一部を前記第５折り目線において折り曲げることによって、押さえ片が形成されてよい。前記第２差し込み片を前記第２差し込み孔に差し込んだ状態において、前記底部からみて前記押さえ片が前記第２斜面部より高い位置にあってよい。
【００１３】
好適に、前記第１山形構造部における前記第１切り欠き孔の前記縁は、前記第２山形構造部における前記第２切り欠き孔の前記縁に比べて、前記底部からみた位置が高くてよい。
【発明の効果】
【００１４】
本発明によれば、コンパクトで持ち運びが容易なボトル支持台を提供できる。
【図面の簡単な説明】
【００１５】
【図１】本実施形態に係るボトル支持台の一例を示す斜視図である。
【図２】図１に示すボトル支持台の右側面図である。
【図３】図１に示すボトル支持台の使用例を示す図である。
【図４】本実施形態に係るボトル支持台を構成する板状部材の一例を示す図である。
【図５】図３に示す板状部材を折り曲げてボトル支持台を組み立てる過程の一例を示す第１の図である。
【図６】図３に示す板状部材を折り曲げてボトル支持台を組み立てる過程の一例を示す第２の図である。
【発明を実施するための形態】
【００１６】
以下、本発明の実施形態に係るボトル支持台について、図面を参照して説明する。
図１は、本実施形態に係るボトル支持台の一例を示す斜視図である。図２は、図１に示すボトル支持台の右側面図である。図３は、図１に示すボトル支持台の使用例を示す図である。
【００１７】
本実施形態に係るボトル支持台は、段ボールや板紙などの板状部材１０（図４）を折り曲げて形成される。ボトル支持台は、例えば図１，図２において示すように、側面視が山形（三角形）をした２つの山形構造部５１，５２を有する。山形構造部５１の稜線６１には、比較的大きく円弧状に切り欠かれた縁７１が形成され、山形構造部５２の稜線６２には、比較的小さく円弧状に切り欠かれた縁７２，７３が形成される。ボトル５の比較的大径の胴体部分が縁７１の上に載置され、ボトル５の比較的小径の注出口部分が縁７２，７３の上に載置される（図３）。
【００１８】
縁７１は縁７２，７３に比べて底面からみた位置が高い。そのため、ボトル支持台に載置されたボトル５は、胴体部分を注出口部分より上に高く持ちあげられた状態となる。ボトル５の荷重は縁７１〜７３の下側の山形構造部５１，５２によって全体的に支えられるが、傾いた状態のボトル５が山形構造部５２の斜面部２２に当たるため、斜面部２２は他の斜面部よりもボトル５の荷重を受け易くなっている。
ボトル支持台に載置されたボトル５は、わざわざ手で持ち上げて傾けなくても、注出口を開けば自然に飲料水等が流れ出る状態になっている。そのため、例えば、ボトル５の注出口にキャップ式のバルブ６を装着すれば、バルブ６の簡単な操作によってボトル５から飲料水等を注出することができる。
【００１９】
図４は、本実施形態に係るボトル支持台を構成する板状部材１０の一例を示す図である。図５，６は、図４に示す板状部材１０を折り曲げてボトル支持台を組み立てる過程の一例を示す図である。
【００２０】
図４に示す板状部材１０は、縁部１１及び縁部１２と、折り目線Ｌ１〜Ｌ５と、斜面部２１〜２４と、底部３０と、差し込み片１５，１７と、差し込み孔３１，３２と、切り欠き孔Ｐ１，Ｐ２と、溝１８と、切り込み線３５とを有する。
縁部１１は、本発明における第１縁部の一例である。
縁部１２は、本発明における第２縁部の一例である。
差し込み片１５は、本発明における第１差し込み片の一例である。
差し込み片１７は、本発明における第２差し込み片の一例である。
折り目線Ｌ１〜Ｌ４は、本発明における４本の折り目線の一例である。
底部３０は、本発明における底部の一例である。
差し込み孔３１は、本発明における第１差し込み孔の一例である。
差し込み孔３２は、本発明における第２差し込み孔の一例である。
折り目線Ｌ１は、本発明における第１折り目線の一例である。
折り目線Ｌ２は、本発明における第２折り目線の一例である。
斜面部２１は、本発明における第１斜面部の一例である。
斜面部２２は、本発明における第２斜面部の一例である。
切り欠き孔Ｐ１は、本発明における第１切り欠き孔と第３切り欠き孔とを兼ねた共通の切り欠き孔の一例である。
切り欠き孔Ｐ２は、本発明における第２切り欠き孔の一例である。
溝１８は、本発明における溝の一例である。
切り込み線３５は、本発明における切り込み線の一例である。
【００２１】
板状部材１０は、例えば段ボールや板紙等の軽くて丈夫な材料を矩形状に切って形成される。図４の例に示す板状部材１０は、図の上下方向にやや細長い左右対称の短冊状の形をしており、上側の端部が下側の端部に比べて幅狭となっている。この上下の両端部には、互いに平行な縁部１１及び縁部１２が形成される。比較的幅広の縁部１１には、左右の対称な位置に２つの差し込み片１５が凸設される。比較的幅狭の縁部１２には、中央部分に差し込み片１７が凸設される。
【００２２】
板状部材１０は、両端の縁部１１及び縁部１２と平行な４本の折り目線（Ｌ１〜Ｌ４）を有する。４本の折り目線の中で、折り目線Ｌ１は縁部１１に最も近く、折り目線Ｌ２はその次に縁部１１に近い。また、４本の折り目線の中で、折り目線Ｌ２は縁部１２に最も近く、折り目線Ｌ４はその次に縁部１２に近い。
【００２３】
縁部１１と折り目線Ｌ１との間の部分は、山形構造部５１（図２）における内側の斜面部２１を形成する。
折り目線Ｌ１と折り目線Ｌ３との間の部分は、山形構造部５１における外側の斜面部２３を形成する。
縁部１２と折り目線Ｌ２との間の部分は、山形構造部５２（図２）における内側の斜面部２２を形成する。
折り目線Ｌ２と折り目線Ｌ４との間の部分は、山形構造部５２における外側の斜面部２４を形成する。
【００２４】
４本の折り目線Ｌ１〜Ｌ４のうち、内側の２本の折り目線Ｌ３，Ｌ４によって挟まれた部分（底部３０）には、２つ差し込み孔３１と、１つの差し込み孔３２が形成される。差し込み孔３２は、差し込み孔３１に比べて折り目線Ｌ１の近くに形成される。
２つ差し込み孔３１には、縁部１１に凸設された２つの差し込み片１５が差し込まれる。また、差し込み孔３２には、縁部１２に凸設された差し込み片１７が差し込まれる。
【００２５】
板状部材１０において、縁部１１に最も近い折り目線Ｌ１の上には、切り欠き孔Ｐ１が形成される。切り欠き孔Ｐ１は、折り目線Ｌ３と比較的近い場所に円弧状の縁７１を有する。ボトル支持台を組み上げた状態において、山形構造部５１（図２）の稜線付近に縁７１が位置しており、この縁７１の上にボトル５の胴体部が載置される。
【００２６】
切り欠き孔Ｐ１は、斜面部２１の縁部１１の近くまで広がっており、一部の横幅が斜面部２２の横幅よりも広くなっている。ボトル支持台を組み上げる際、この切り欠き孔Ｐ１において横幅が広くなった部分に、幅狭の斜面部２２が挿通される。
【００２７】
また切り欠き孔Ｐ１は、縁部１１に近い側に、縁部１１と平行な縁４１を有する。斜面部２２を切り欠き孔Ｐ１へ挿通し、更に斜面部２２の差し込み片１７を差し込み孔３２に差し込んだ状態にしたとき、縁４１が斜面部２２の下側の面に当接する。縁４１が斜面部２２の下側の面に当接することで、斜面部２２に加わるボトル５の重みの一部が縁４１の下側の部分（斜面部１１の端部）によって支えられる。これにより、斜面部２２の湾曲が効果的に抑えられる。
【００２８】
切り欠き孔Ｐ１に挿通される斜面部２２には、縁部１２と平行に切り込まれた２つの溝１８が形成される。２つの溝１８は、斜面部２２のほぼ左右対称な位置に形成される。斜面部２２を切り欠き孔Ｐ１に挿通した状態において、切り欠き孔Ｐ１の左右の縁がこの２つの溝１８にそれぞれ差し込まれる。
【００２９】
板状部材１０の底部３０は、押さえ片３６を形成するための切り込み線３５と折り目線Ｌ５を有する。
折り目線Ｌ５は、斜面部２２の差し込み片１７を差し込み孔３２に差し込んだ状態において斜面部２２の縁部１２と近接する位置に、縁部１２と平行に延びて形成される。図４の例において、折り目線Ｌ５は、差し込み孔３２の略中央部に形成される。
切り込み線３５は、折り目線Ｌ５の一端から、折り目線Ｌ２に近づくルートを通って折り目線Ｌ５の他端に至る。図４の例において、切り込み線３５は、折り目線Ｌ２の側へ円弧状に曲がっている。
この切り込み線３５と折り目線Ｌ５とに囲まれた部分を折り目線Ｌ５において折り曲げることにより、半円形の押さえ片３６が形成される。この押さえ片３６は、斜面部２２の差し込み片１７を差し込み孔３２に差し込んだ状態において、底部３０からみて斜面部２２より高い位置にある（図２）。押さえ片３６が底部３０側に向かって斜面部２２を上から押さえ込むため、斜面部２２の差し込み片１７が差し込み孔３２から抜け難くなる。
【００３０】
板状部材１０において、縁部１２に最も近い折り目線Ｌ２の上には、切り欠き孔Ｐ２が形成される。図４の例において、切り欠き孔Ｐ２は略円形をしており、折り目線Ｌ２において略半分に折り曲げられる。ボトル支持台を組み上げた状態において、山形構造部５２（図２）の稜線付近に切り欠き孔Ｐ２の縁７２，７３が位置しており、この縁７２，７３の上にボトル５の注出口部分が載置される。
【００３１】
上述した構成を有する板状部材１０からボトル支持台を組み上げる手順の一例について説明する。
まず、折り目線Ｌ１，Ｌ３において板状部材１０を同じ方向に折り曲げる。すなわち、板状部材１０の所定の表面が内側になり、所定の裏面が外側になるように、折り目線Ｌ１，Ｌ３において板状部材１０を折り曲げる（図５）。
【００３２】
この折り曲げによって斜面部２１の縁部１１が底部３０に近づいたら、斜面部２１の２つの差し込み片１５を底部３０の２つの差し込み孔３１にそれぞれ差し込む。これにより、一つの山形構造部５１（図２）が形成される。
【００３３】
山形構造部５１の内側の底部３０には、差し込み孔３２と押さえ片３６が位置する。この押さえ片３６は、予め上方向（山形構造部５１の稜線の方向）に向かって立てておく。
【００３４】
次いで、折り目線Ｌ２，Ｌ４において、板状部材１０を折り目線Ｌ１，Ｌ３と同じ方向に折り曲げる。すなわち、板状部材１０の所定の表面が内側になり、所定の裏面が外側になるように、折り目線Ｌ２，Ｌ４において板状部材１０を折り曲げる（図６）。
【００３５】
折り目線Ｌ２，Ｌ４において板状部材１０を折り曲げながら、折り目線Ｌ２より先の斜面部２２を切り欠き孔Ｐ１に近づけていき、切り欠き孔Ｐ１の中に挿通させる。この場合、切り欠き孔Ｐ１においてやや横幅の広いところに斜面部２２を挿通させる。そして、切り欠き孔Ｐ１の縁を斜面部２２の溝１８に差し込み、切り欠き孔Ｐ１の下側の縁４１に向かって斜面部２２をスライドさせる。切り欠き孔Ｐ１の横幅は、縁４１に近付くに連れて狭くなっているため、斜面部２２をスライドさせると、切り欠き孔Ｐ１の縁が徐々に深く斜面部２２の溝１８に差し込まれる。
【００３６】
切り欠き孔Ｐ１における縁４１の直近には、溝１８の最深部における斜面部２２の横幅と同等かそれよりもやや幅が広くなっている凹部分４２が設けられている。その凹部分４２の直前において、切り欠き孔Ｐ１の横幅は、溝１８の最深部における斜面部２２の横幅よりもやや狭くなっている。そのため、斜面部２２を切り欠き孔Ｐ１の縁４１までスライドさせると、斜面部２２が凹部分４２にロックされた状態となり、切り欠き孔Ｐ１から容易に外れなくなる。
【００３７】
斜面部２２を切り欠き孔Ｐ１の縁４１までスライドさせた状態において、斜面部２２の差し込み片１７を底部３０の差し込み孔３２へ差し込み、斜面部２２を上側から押さえ片３６によって押さえ込む。これにより、もう一つの山形構造部５２（図２）が形成される。
【００３８】
以上説明したように、本実施形態に係るボトル支持台によれば、段ボールや板紙などの板状部材１０を折り曲げることで簡単に組み上げることができるため、例えばキャンプなどのイベントで使用する場合、展開して折り畳んだコンパクトな状態で容易に持ち運ぶことができる。また、段ボール等の軽い材料で板状部材１０を形成できるため、従来の金属製のものに比べて大幅に軽くなり、より一層持ち運びが容易になる。更に、紙製の板状部材１０を使用することで廃棄処理が簡単になるとともに、金属製のものに比べて材料コストを大幅に下げることができる。
【００３９】
また、本実施形態に係るボトル支持台によれば、２つの山形構造部（５１，５２）の稜線を切り欠いて形成された縁７１〜７３の上にボトル５を載置することから、強度の高い山形構造によって大重量のボトル５でも安定に支持することができる。
【００４０】
また、本実施形態に係るボトル支持台によれば、斜面部２１に形成された切り欠き孔Ｐ１に斜面部２２を挿通させるため、全体の大きさをコンパクトにすることができる。
【００４１】
また、本実施形態に係るボトル支持台によれば、斜面部２２の下側の面に斜面部２１の縁４１が当接することにより、ボトル５の重みの一部を斜面部２１の端の部分において負担させることができるため、斜面部２２の湾曲が生じ難くなり、強度を高めることができる。
【００４２】
また、本実施形態に係るボトル支持台によれば、斜面部２２の溝１８に斜面部２１の切り欠き孔Ｐ１の溝が差し込まれるため、斜面部２２を切り欠き孔Ｐ１から抜け難くすることができる。
【００４３】
また、本実施形態に係るボトル支持台によれば、底部３０に形成された押さえ片３６によって斜面部２２が底部３０に向かって押さえ込まれるため、斜面部２２の差し込み片１７を底部３０の差し込み孔３２から抜け難くすることができる。
【００４４】
また、本実施形態に係るボトル支持台によれば、山形構造部５１の縁７１が山形構造部５２の縁７２，７３に比べて高い位置にあるため、ボトル５を斜めに傾けた状態で支持することが可能となり、ボトル５の注出口から飲料水等を注出し易くすることができる。
【００４５】
なお、本発明は上記の実施形態にのみ限定されるものではなく、様々なバリエーションを含んでいる。
【００４６】
上述した実施形態では、１つの切り欠き孔Ｐ１によって、山形構造部５１の縁７１が形成されるとともに、斜面部２２を挿通するための孔が形成されているが、本発明はこの例に限定されない。本発明の他の実施形態では、山形構造部５１の縁７１を形成するための切り欠き孔と、斜面部２２を挿通するための切り欠き孔とを、それぞれ独立に設けてもよい。
【００４７】
また、上述した実施形態では、斜面部２１の切り欠き孔Ｐ１に斜面部２２を挿通させることによって山形構造部５１と山形構造部５２とがつながっているが、本発明はこの例に限定されない。本発明の他の実施形態では、山形構造部５１と山形構造部５２とが互いの斜面部において交差せず、それぞれ独立するようにしてもよい。
【００４８】
図１〜図６において示したボトル支持台の各部の形状や大きさ、斜面部の角度、稜線の高さ、切り欠き孔の大きさ、差し込み片・差し込み孔の数などは一例に過ぎず、ボトルの形状や大きさなどに合わせて任意に変更してよい。
【符号の説明】
【００４９】
５…ボトル、６…バルブ、１０…板状部材、１１，１２…縁部、１５，１７…差し込み片、１８…溝、２１〜２４…斜面部、３０…底部、３１，３２…差し込み孔、３５…切り込み線、３６…押さえ片、４１，７１〜７３…縁、５１，５２…山形構造部、６１，６２…稜線、折り目線Ｌ１〜Ｌ５、Ｐ１，Ｐ２…切り欠き孔
【図１】
2014019449.tif 000003
【図２】
2014019449.tif 000004
【図３】
2014019449.tif 000005
【図４】
2014019449.tif 000006
【図５】
2014019449.tif 000007
【図６】
2014019449.tif 000008